(57)【要約】【課題】通常の通話とハンズフリーの通話とが可能な携帯端末装置に関し、通常の通話とハンズフリーの通話との切替えを容易化及び自動化する。【解決手段】通常の通話とハンズフリーの通話とが可能な携帯端末装置であって、画像によって装置本体（４）の位置を検出する検出部（カメラ１２）と、前記検出部の検出画像に基づき、通常の通話とハンズフリーの通話とを切り替える通話切替部（オーディオコーデック２０、プロセッサ３０）とを備え、通常の通話とハンズフリーの通話とを自動的に切り替えることが可能である構成である。【選択図】図１
2008187221.tif 000002
【特許請求の範囲】
【請求項１】
通常の通話とハンズフリーの通話とが可能な携帯端末装置であって、
画像によって装置本体の位置を検出する検出部と、
前記検出部の検出画像に基づき、通常の通話とハンズフリーの通話とを切り替える通話切替部と、
を備え、通常の通話とハンズフリーの通話とを自動的に切り替えることが可能であることを特徴とする携帯端末装置。
【請求項２】
請求項１記載の携帯端末装置において、
前記ハンズフリーの通話がテレビ電話の通話であって、前記検出部の検出画像に基づき、通常の通話とテレビ電話の通話とを自動的に切り替えることが可能であることを特徴とする携帯端末装置。
【請求項３】
請求項１記載の携帯端末装置において、
音声を出力するレシーバとスピーカとを備え、前記通常の通話では前記レシーバから音声を出力させ、前記ハンズフリーの通話では前記スピーカから音声を出力させることを特徴とする携帯端末装置。
【請求項４】
請求項１記載の携帯端末装置において、
前記通話切替部は、前記検出画像により、前記装置本体が耳の位置にあれば通常の通話、前記装置本体が耳の位置から離れていればハンズフリーの通話に切り替えることを特徴とする携帯端末装置。
【請求項５】
請求項１記載の携帯端末装置において、
前記通話切替部は、前記検出画像に対し、通常の通話とハンズフリーの通話とを切り替えるしきい値が設定され、該しきい値を変更可能にしたことを特徴とする携帯端末装置。    
【請求項６】
通常の通話とハンズフリーの通話とが可能な携帯端末装置の通話切替方法であって、
画像によって装置本体の位置を検出するステップと、
検出画像に基づいて通常の通話とハンズフリーの通話とを切り替えるステップと、
を含み、通常の通話とハンズフリーの通話とを自動的に切り替えることを可能にしたことを特徴とする携帯端末装置の通話切替方法。
【請求項７】
コンピュータによって実行され、通常の通話とハンズフリーの通話とが可能な携帯端末装置の通話切替プログラムであって、
装置本体の位置を表す画像を取り込み、該画像に基づいて通常の通話とハンズフリーの通話とを切り替えるステップを含み、通常の通話とハンズフリーの通話とを自動的に切り替えることを可能にしたことを特徴とする携帯端末装置の通話切替プログラム。
【請求項８】
携帯端末装置に搭載されたコンピュータに実行可能に通話切替プログラムを格納した記録媒体であって、
装置本体の位置を表す画像を取り込み、該画像に基づいて通常の通話とハンズフリーの通話とを切り替えるステップを含み、通常の通話とハンズフリーの通話とを自動的に切り替えることを可能にする通話切替プログラムをコンピュータに読み取り可能に格納したことを特徴とする記録媒体。
【発明の詳細な説明】
【技術分野】
【０００１】
本発明は、通常の通話、ハンズフリーの通話、テレビ電話の通話が可能な携帯端末装置に関し、特に、通常の通話と、ハンズフリーの通話又はテレビ電話の通話との通話切替えを自動化した携帯端末装置、その通話切替方法、その通話切替プログラム、及び通話切替プログラムを格納した記録媒体に関する。
【背景技術】
【０００２】
通常の通話とハンズフリーの通話とが可能な携帯端末装置では、レシーバ又はスピーカから音声を出力させ、又はレシーバ、スピーカによって通常通話とハンズフリー通話との音量を変える等の通話切替えが行われている。
【０００３】
このような携帯端末装置に関し、特許文献１には、携帯端末と話者の耳との接触又は非接触状態を検出するセンサが接触又は非接触状態を表すオン信号又はオフ信号を出力し、これらオン信号又はオフ信号で切替回路を切替えることにより、通話相手からの音声信号を、携帯端末が話者の耳に接触している場合にはレシーバ用アンプに出力し、携帯端末が話者の耳に非接触の場合にはスピーカ用アンプに出力させることが開示されている。
【０００４】
また、特許文献２には、通話時、赤外線発光素子から赤外線を顔や耳等人体に照射し、その反射光を赤外線受光素子に受光させることにより、携帯電話機に顔や耳等人体の接近あるいは接触を検知し、この検知信号により通常の通話とハンズフリーの通話とを切り替えることが開示されている。
【特許文献１】特開２００１−２２３７８４号公報（要約、図１）
【特許文献２】特開平１０−２８１６９号公報（段落番号００１１、００１２、図２）
【発明の開示】
【発明が解決しようとする課題】
【０００５】
ところで、装置本体と人体との位置関係により通話形態を切替えることは携帯端末装置の利便性が高められるが、特許文献１のように、機械的なセンサでは、ばねを介在させた接点によって携帯端末と耳との接触を検知し、その検知信号で切替回路を切替えるため、機械的な検知動作が通話切替えに時間的な遅延を生じさせる。
【０００６】
また、特許文献２のように、赤外線の反射光により人体の接触や接近を検知する場合には、携帯端末装置に赤外線発光素子及び赤外線受光素子を設置し、かつ、その発光回路や受光回路を設置する必要がある。このような装備はバッテリを過剰に消耗させることにもなる。
【０００７】
斯かる要求や課題について、特許文献１、２にはその開示や示唆はなく、それを解決する構成等についての開示や示唆はない。
【０００８】
そこで、本発明の目的は、通常の通話とハンズフリーの通話とが可能な携帯端末装置に関し、通常の通話とハンズフリーの通話との切替えを容易化及び自動化することにある。
【０００９】
また、本発明の他の目的は、通常の通話とテレビ電話の通話とが可能な携帯端末装置に関し、通常の通話とテレビ電話の通話との切替えを容易化及び自動化することにある。
【００１０】
また、本発明の他の目的は、通常の通話とハンズフリーの通話とが可能な携帯端末装置に関し、携帯端末装置にある既存のカメラを用いることにより、通話切替えを容易化することにある。
【課題を解決するための手段】
【００１１】
上記目的を達成するため、本発明は、通常の通話とハンズフリーの通話とが可能な携帯端末装置に関し、カメラ等の検出部に得られる画像の黒の要素が装置本体の位置によって変化することから、通話切替部は、その検出画像に基づき、通常の通話とハンズフリーの通話とを切り替えるようにしたものである。斯かる構成によれば、検出画像を監視することにより、黒の要素のしきい値を超えるか否かを以て、通常の通話とハンズフリーの通話とを自動的に切り替えることを可能にし、上記目的を達成する。また、同様の処理により、通常の通話とテレビ電話の通話との切替えの容易化及び自動化をも図ることができる。
【００１２】
そこで、上記目的を達成するため、本発明の第１の側面は、通常の通話とハンズフリーの通話とが可能な携帯端末装置であって、画像によって装置本体の位置を検出する検出部と、前記検出部の検出画像に基づき、通常の通話とハンズフリーの通話とを切り替える通話切替部とを備え、通常の通話とハンズフリーの通話とを自動的に切り替えることが可能である構成である。斯かる構成によって、上記目的が達成される。
【００１３】
上記目的を達成するためには、上記携帯端末装置において、好ましくは、前記ハンズフリーの通話がテレビ電話の通話であって、前記検出部の検出画像に基づき、通常の通話とテレビ電話の通話とを自動的に切り替えることが可能である構成としてもよいし、音声を出力するレシーバとスピーカとを備え、前記通常の通話では前記レシーバから音声を出力させ、前記ハンズフリーの通話では前記スピーカから音声を出力させる構成としてもよいし、前記通話切替部は、前記検出画像により、前記装置本体が耳の位置にあれば通常の通話、前記装置本体が耳の位置から離れていればハンズフリーの通話に切り替える構成としてもよいし、また、前記通話切替部は、前記検出画像に対し、通常の通話とハンズフリーの通話とを切り替えるしきい値が設定され、該しきい値を変更可能にした構成としてもよい。斯かる構成によっても、上記目的が達成される。
【００１４】
上記目的を達成するため、本発明の第２の側面は、通常の通話とハンズフリーの通話とが可能な携帯端末装置の通話切替方法であって、画像によって装置本体の位置を検出するステップと、検出画像に基づいて通常の通話とハンズフリーの通話とを切り替えるステップとを含み、通常の通話とハンズフリーの通話とを自動的に切り替えることを可能にした構成である。斯かる構成によっても、上記目的が達成される。
【００１５】
上記目的を達成するため、本発明の第３の側面は、コンピュータによって実行され、通常の通話とハンズフリーの通話とが可能な携帯端末装置の通話切替プログラムであって、装置本体の位置を表す画像を取り込み、該画像に基づいて通常の通話とハンズフリーの通話とを切り替えるステップを含み、通常の通話とハンズフリーの通話とを自動的に切り替えることを可能にした構成である。斯かる構成によっても、上記目的が達成される。
【００１６】
上記目的を達成するため、本発明の第４の側面は、携帯端末装置に搭載されたコンピュータに実行可能に通話切替プログラムを格納した記録媒体であって、装置本体の位置を表す画像を取り込み、該画像に基づいて通常の通話とハンズフリーの通話とを切り替えるステップを含み、通常の通話とハンズフリーの通話とを自動的に切り替えることを可能にする通話切替プログラムをコンピュータに読み取り可能に格納した構成である。斯かる構成によっても、上記目的が達成される。
【発明の効果】
【００１７】
本発明によれば、次のような効果が得られる。
【００１８】
(1) 人体に装置本体が接触しているか、接触していないか等、人体に対する装置本体の位置を検出画像によって監視し、その検出画像に応じて通常の通話とハンズフリーの通話とを自動的に切り替えるので、通話切替えの容易化が図られるとともに、携帯端末装置の利便性が高められる。
【００１９】
(2) 人体に対する装置本体の位置を検出画像によって監視する構成とすれば、携帯端末装置に内蔵されているカメラを用いることができるので、格別なデバイスを必要とすることがなく、通話切替えの自動化及び容易化が図られ、コストアップや部品点数の増加を伴うことがない。
【００２０】
(3) 人体に対する装置本体の位置を検出画像によって監視する構成とすれば、検出画像を解析し、例えば、画素中の黒の要素がしきい値以上か否かで人体に装置本体が接触状態又は近傍にあるか否かを容易に判定でき、その判定に基づき、自動的に通話切替えを行うことができる。
【００２１】
(4) Bluetooth ヘッドセット等の外部機器を無線又は有線で接続する構成とすれば、その外部機器が接続されている場合には、その外部機器の使用に優先性を設定でき、その外部機器を用いた通話に自動的に切り替えることもでき、携帯端末装置の利便性が高められる。
【００２２】
(5) このような構成によれば、音声電話の通話切替えの自動化だけでなく、テレビ電話の通話切替えの自動化も図ることができる。
【００２３】
そして、本発明の他の目的、特徴及び利点は、添付図面及び各実施の形態を参照することにより、一層明確になるであろう。
【発明を実施するための最良の形態】
【００２４】
第１の実施の形態
【００２５】
第１の実施の形態について、図１、図２及び図３を参照して説明する。図１は、携帯端末装置の自動通話切替機能を示す図であって、Ａは通常の通話を示す図、Ｂはハンズフリーの通話を示す図、図２は、携帯端末装置を把持した場合の通話（ハンズフリー通話の一態様）を示す図、図３は、携帯端末装置の通話切替方法の一例を示すフローチャートである。
【００２６】
この携帯端末装置２は、図１に示すように、装置本体４にレシーバ６、スピーカ８、マイクロフォン１０、カメラ１２を備え、通常の通話、ハンズフリーの通話、テレビ電話の通話が可能である。レシーバ６は耳に接して音声を出力する受話器であり、スピーカ８は耳から離して音声を出力する拡声器である。この携帯端末装置２の通常の通話とは、レシーバ６から音声を出力させて通話する場合であり、また、ハンズフリーの通話とは、スピーカ８から音声を出力させて通話する場合であって、図２に示すように、装置本体４を手で保持している場合であってもよい。カメラ１２は例えば、テレビ電話用カメラ等、ユーザ側を撮影できるインカメラであって、画像によって装置本体４の位置を検出する検出部を構成しており、このカメラ１２で検出される装置本体４の位置は、図１のＡに示すように、装置本体４が人体１４の接触状態（二点鎖線）又は近傍（実線）にあるか否かを表す装置本体４の位置である。
【００２７】
そこで、この携帯端末装置２では、図３に示すように、通話ボタンの押下等の着信又は発信（ステップＳ１）に基づき、通話切替えの自動切替設定の有無を確認し（ステップＳ２）、自動切替設定が無ければ、この処理を終了し、自動切替設定があれば、カメラ１２を起動して画像検出を行い（ステップＳ３）、検出画像を取り込む。その検出画像に基づき、装置本体４が人体１４と接触状態又は人体１４の近傍にあるか否かを判定する（ステップＳ４）。この検出画像は、カメラ１２に人体１４が近付けば暗くなり、カメラ１２から人体１４が離れれば明るくなる傾向を呈する。そこで、その検出画像の色成分に着目し例えば、画素中の黒の要素にしきい値を設定すれば、そのしきい値を黒の要素が超えるか否かにより、装置本体４が人体１４と接触状態又は近傍にあるか否かを知ることができる。
【００２８】
装置本体４が人体１４と接触状態又は人体１４の近傍にあれば（図１のＡ）、通信相手からの受話音声１６をレシーバ６から出力させ、通常の通話に切り替え（ステップＳ５）、この場合、送話音声１８はマイクロフォン１０から取り込まれる。
【００２９】
また、装置本体４が人体１４と接触状態になければ又は人体１４の近傍になければ（図１のＢ又は図２）、通信相手からの受話音声１６をスピーカ８から出力させ、ハンズフリーの通話に切り替える（ステップＳ６）。この場合も同様に、送話音声１８はマイクロフォン１０から取り込まれる。
【００３０】
通話切替えの後、通話中であるか否かが判定され（ステップＳ７）、通話中でなければ（ステップＳ７のＮＯ）、この処理を終了し、通話中であれば（ステップＳ７のＹＥＳ）、ステップＳ３に戻り、継続的に検出画像の変化を監視し、通話が継続している限り、検出画像に基づいて通話切替えを自動的且つ継続的に行う（ステップＳ３ないしステップＳ７）。
【００３１】
このように人体１４に装置本体４が接触しているか、接触していないか等、人体１４に対する装置本体４の位置をカメラ１２の検出画像によって監視すれば、その検出画像に応じて通常の通話とハンズフリーの通話とを自動的に切り替えることができ、通話切替えの容易化が図られ、携帯端末装置２の利便性が高められる。
【００３２】
この場合、通常の通話とテレビ電話の通話についても、図２に示すように、装置本体４が人体１４の接触状態又は近傍にあるか否かにより、通常の通話（図１のＡ）からテレビ電話の通話（図１のＢ又は図２）、テレビ電話の通話（図１のＢ又は図２）から通常の通話（図１のＡ）に自動切替えをすることができ、特別な切替えが不要である。テレビ電話の通話を開始しても、相手先に画像を送信したくない場合には通話を遮断することなく、図１のＡに示すように、装置本体４を耳に当てれば、通常の通話に切り替えて通話を継続することができる。
【００３３】
検出画像の取込みには通話切替えのためにセンサ部として新たなカメラを設置してもよいが、携帯端末装置２に既述のように既存のカメラ１２が存在していれば、それを既述の検出部に活用することができるので、格別なデバイスを必要とすることがなく、通話切替えの自動化及び容易化が図られ、コストアップや部品点数の増加を伴うことがない。
【００３４】
次に、携帯端末装置２について、図４、図５及び図６を参照して説明する。図４は、携帯端末装置のハードウェアの構成例を示す図、図５は、携帯端末装置の構成例を示す図、図６は、携帯端末装置のソフトウェア処理の階層構造を示す図である。図４、図５及び図６において、図１と同一部分には同一符号を付してある。
【００３５】
この携帯端末装置２は、カメラ１２、オーディオコーデック２０、無線通信部２２、記憶部２４、表示部２６、入力操作部２８、プロセッサ３０を備え、通常の通話とハンズフリーの通話との自動切替えが可能である。
【００３６】
カメラ１２は既述の通りテレビ電話のカメラであって、装置本体４の位置を検出する画像検出部を構成しており、光学系３２及びイメージセンサ部３４を備えている。光学系３２は、被写体である人体１４からの光を取り込み、イメージセンサ部３４に入光ないし結像させる手段である。イメージセンサ部３４は、光学系３２からの入光ないし結像により、検出画像を電気信号に変換する。検出画像は、装置本体４の位置を表す位置情報である。イメージセンサ部３４は、画像を電気信号に変換するＣＣＤ（Charge Coupled Device ：電荷結合素子）やＣＭＯＳ（Complementary Metal Oxide Semiconductor ）素子等で構成することができる。イメージセンサ部３４で検出された画像は、プロセッサ３０の制御により、常時又は所定の時間間隔により記憶部２４に取り込まれて格納される。
【００３７】
オーディオコーデック２０は、音声信号に関する入出力部及び信号処理部であるとともに、音声パスを切り替える通話切替部であって、プロセッサ３０の制御により、ディジタルオーディオ信号のアナログオーディオ信号への変換、アナログオーディオ信号のディジタルオーディオ信号への変換、送話音声の取込み、受話音声の音声パスの切替え等を行う。そこで、このオーディオコーデック２０には、レシーバ出力部３６、スピーカ出力部３８、マイクロフォン入力部４０が備えられ、通常の通話の場合、音声信号がレシーバ出力部３６からレシーバ６に出力され、ハンズフリーの通話の場合、音声信号がスピーカ出力部３８からスピーカ８に出力され、これらの場合に、マイクロフォン１０に検出された送話音声がマイクロフォン入力部４０に取り込まれる。
【００３８】
無線通信部２２はアンテナ４２を備え、このアンテナ４２を通して基地局との無線通信を行う。この無線通信部２２の無線通信は、プロセッサ３０の制御によって行われ、無線信号の送信又は受信を行う。そこで、この無線通信部２２には、ベースバンド部等の信号処理部が備えられ、音声信号やパケットデータ信号を搬送波に重畳させて送信信号を生成し、又は、受信した無線信号から音声信号やパケットデータ信号を再生する。
【００３９】
表示部２６はユーザインタフェースであって、プロセッサ３０の制御に基づき、入力情報や出力情報を映像によって表示する。この場合、映像表示出力部としてＬＣＤ（Liquid Crystal Display）が設置されている。
【００４０】
入力操作部２８はユーザインタフェースであって、プロセッサ３０の制御に基づき、ユーザ操作による文字入力等を行う。この場合、複数の文字キーやカーソルキーを備えるキーボードを備え、プロセッサ３０の制御により、入力操作による文字や記号等の入力情報をプロセッサ３０に取り込む。この入力操作部２８には、通話を開始する通話ボタンが含まれる。
【００４１】
記憶部２４はプロセッサ３０の制御により情報の読出し又は書き込みが可能な記録媒体で構成され、プログラム記録部４４、データ記録部４６、ＲＡＭ（Random-Access Memory）４８を備えている。プログラム記録部４４は例えば、ＲＯＭ（Read-Only Memory）で構成され、ＯＳ（Operating System）、電話アプリケーションプログラム、アプリケーションソフトウェアとして通話切替プログラム等が格納されている。通話切替プログラムは、既述の通話切替方法を情報処理によって実現するソフトウェアであって、具体的には、電話アプリケーションプログラムをバックグラウンドにし、カメラ１２の検出画像に基づく、音声パス切替判定プログラムである。データ記録部４６にはカメラ１２により取り込まれた検出画像が格納される。
【００４２】
ＲＡＭ４８はプロセッサ３０の制御により、ＯＳ及び通話制御プログラムが展開され、ワークエリアとして機能する。即ち、プロセッサ３０及びＲＡＭ４８は通話制御プログラムの実行により、各種情報の取込み等の各種制御を実行する。
【００４３】
また、プロセッサ３０はプログラムに従って情報処理を行うコンピュータの中枢部であって、ＣＰＵ（Central Processing Unit ：中央演算処理装置）やＭＰＵ（Micro Processor Unit）で構成される各種機能部の制御部であり、プログラム記録部４４にあるＯＳや通話切替プログラムをＲＡＭ４８に展開して実行する。プロセッサ３０は、カメラ１２から検出画像を取り込むとともに、その検出画像の推移を監視し、その検出画像に基づき、オーディオコーデック２０の音声パスの切替え、即ち、通話切替えを制御する。従って、プロセッサ３０は通話切替制御部を構成している。
【００４４】
そして、この携帯端末装置２は、図５に示すように、第１の筐体部５０と、第２の筐体部５２とをヒンジ部５４により折畳み可能に連結させて装置本体４を構成している。装置本体４は、このような折畳み構造の他、引出し構造や、横方向に開閉や回転する構造であってもよい。筐体部５０には、マイクロフォン１０が設置されているとともに、複数のキーの他からなる入力操作部２８が設置され、この入力操作部２８には通話を開始するための通話ボタン５６が設置されている。筐体部５２には、表示部２６が設置されているとともに、表示部２６の上側にレシーバ６、カメラ１２が設置され、表示部２６の下側にスピーカ８が設置されている。
【００４５】
この携帯端末装置２の自動通話切替えのソフトウェア処理には、図６に示すように、ハードウェアレイヤー５８、ドライバレイヤー６０、ＯＳレイヤー６２、アプリケーションレイヤー６４からなる４つの階層が設定されている。物理層であるハードウェアレイヤー５８は、既述のカメラ１２及びオーディオコーデック２０が設定され、オーディオコーデック２０にはハードウェアミキサ６６及びレジスタ６８が設定されている。ドライバレイヤー６０には、カメラ１２に対応するカメラドライバ７０、オーディオコーデック２０に対応するオーディオドライバ７２が設定されている。ＯＳレイヤー６２には、カメラドライバ７０に対応するカメラアプリケーション７４が設定され、オーディオドライバ７２に対応するオーディオアプリケーション７６が設定されている。具体的には、オーディオドライバ７２にオーディオアプリケーション７６のデバイスマネージャー７８のソフトウェアミキサ８０が対応する。また、アプリケーションレイヤー６４には、電話アプリケーション８２をバックグラウンドとしてカメラアプリケーション８４、オーディオアプリケーション８６及びミキサアプリケーション８８が設定されている。オーディオアプリケーション８６は、ＰＣＭ（Pulse Code Modulation ）オーディオによりソフトウェアミキサ８０と連携する。また、ミキサアプリケーション８８はハードウェアミキサコントロールＩ／Ｏであって、オーディオドライバ７２と連携する。
【００４６】
斯かる構成において、カメラ１２では人体１４に装置本体４が接触状態又は接近状態にあるか否かの画像が検出され、その検出画像の取得により、その検出画像はカメラドライバ７０を通してカメラアプリケーション７４に取り込まれる。音声パスは、ハードウェアミキサ６６及びソフトウェアミキサ８０によって制御される。この結果、通常の通話とハンドフリーの通話との自動切替え、又は通常の通話とテレビ電話の通話との自動切替えが実行される。
【００４７】
次に、通話切替処理について、図７及び図８を参照して説明する。図７は、通話切替プログラムの通話開始時の処理手順の一例を示すフローチャート、図８は、通話切替プログラムの通話中の処理手順の一例を示すフローチャートである。
【００４８】
通話開始時には、図７に示すように、着信又は発信に際し、携帯端末装置２の通話ボタン５６を押下すれば（ステップＳ１１）、自動切替設定があるか否かの判定が実行される（ステップＳ１２）。この自動切替設定は、通常の通話とハンズフリーの通話との通話切替え、通常の通話とテレビ電話の通話との通話切替えの設定であり、この設定は携帯端末装置２のメニュー画面から初期設定によって設定処理を行えばよい。
【００４９】
自動切替設定があれば（ステップＳ１２のＹＥＳ）、カメラ１２の起動確認としてカメラ電源がＯＮか否かの判定が行われる（ステップＳ１３）。カメラ１２の起動は、電話アプリケーション８２のバックグラウンドで実行される。
【００５０】
カメラ１２が起動すると、カメラ１２により画像が検出され、その画像の取込み（画像キャプチャ）が実行される（ステップＳ１４）。この検出画像は、黒要素のしきい値と比較されることにより、しきい値以上の黒画像か否かを判定し（ステップＳ１５）、しきい値以上の黒画像であれば（ステップＳ１５のＹＥＳ）、装置本体４の位置が人体１４に接触状態又は近傍状態であると判定し、この場合、通常の通話に切り替えられ、レシーバ６から音声を出力させる（ステップＳ１６）。テレビ電話モードであっても、通常の通話に切り替えられることになる。
【００５１】
また、しきい値以上の黒画像でなければ（ステップＳ１５のＮＯ）、装置本体４の位置が人体１４に接触状態にない又は近傍状態にないと判定し、この場合、ハンズフリーの通話、又はテレビ電話モードであれば、テレビ電話の通話に切り替えられ、スピーカ８から音声を出力させる（ステップＳ１７）。
【００５２】
また、斯かる処理において、自動切替設定がなければ（ステップＳ１２のＮＯ）又はカメラ電源が投入されない場合（投入に失敗した場合等）には（ステップＳ１３のＮＯ）、初期設定で予め選択されているレシーバ６又はスピーカ８から音声が出力される（ステップＳ１８）。
【００５３】
次に、通話中の処理手順では、図８に示すように、設定された時間間隔でカメラ１２を起動し（ステップＳ２１）、カメラ１２の検出画像の取り込み（画像キャプチャ）が実行される（ステップＳ２２）。この検出画像は、黒要素のしきい値と比較されることにより、しきい値以上の黒画像か否かを判定し（ステップＳ２３）、しきい値以上の黒画像であれば（ステップＳ２３のＹＥＳ）、装置本体４の位置が人体１４に接触状態又は近傍状態にあると判定し、この場合、通常の通話に切り替えられ、レシーバ６から音声を出力させる（ステップＳ２４）。テレビ電話モードであっても、通常の通話に切り替えられることになる。
【００５４】
また、しきい値以上の黒画像でなければ（ステップＳ２３のＮＯ）、装置本体４の位置が人体１４に接触状態にない又は近傍状態にないと判定し、この場合、ハンズフリーの通話、又はテレビ電話モードであれば、テレビ電話の通話に切り替えられ、スピーカ８から音声を出力させる（ステップＳ２５）。
【００５５】
そして、ステップＳ２１ないしステップＳ２５の処理は連続的に繰り返され、検出画像の推移により、レシーバ６から音声出力又はスピーカ８から音声出力の通話切替えが継続的、自動的に実行される。
【００５６】
次に、検出画像に基づく通話切替えについて、図９を参照して説明する。図９は、検出画像の推移と通話切替えの関係を示す図である。
【００５７】
カメラ１２に取得される画像の形態は、人体１４に対する装置本体４の位置に依存し、検出画像中の黒の要素もその位置によって異なる。図１のＡに示す装置本体４の位置では、カメラ１２の光学系３２に人体１４が接触し又は接近するため、その人体１４によって覆われて検出画像が暗くなり、その画像の解析では黒の要素が多くなる。これは、通常の通話である。
【００５８】
また、図１のＢ又は図２に示す装置本体４の位置では、カメラ１２の光学系３２から人体１４が離れ、光学系３２には多くの光が入るため、検出画像は明るくなり、その画像の解析では黒の要素が少なくなる。これは、ハンズフリーの通話又はテレビ電話の通話の場合である。
【００５９】
このような黒の要素の多少から装置本体４の位置を判定するため、図９に示すように、黒の要素の変化Ｐに対し、通常の通話と、ハンズフリーの通話又はテレビ電話の通話とを判別するための黒の要素について、しきい値Ｂｔｈを設定すれば、検出画像を解析した結果、黒の要素がしきい値Ｂｔｈ以上であれば、装置本体４の位置が人体１４に接触し又は近傍にあると判定し、レシーバ６から音声を出力し（通常の通話）、黒の要素がしきい値Ｂｔｈ未満であれば、装置本体４の位置が人体１４に接触していない又は近傍にないと判定し、スピーカ８から音声を出力する（ハンズフリーの通話又はテレビ電話の通話）。このような画像解析により、黒の要素の多寡で装置本体４の位置を判定すれば、装置本体４の位置に応じた通話切替えを誤動作なく行える。
【００６０】
第２の実施の形態
【００６１】
第２の実施の形態について、図１０を参照して説明する。図１０は、携帯端末装置の通話切替プログラムの処理手順を示すフローチャートである。
【００６２】
この第２の実施の形態は、所定の時間間隔でカメラ１２の動作待機と動作再開を繰り返す構成とした携帯端末装置の通話切替処理の処理手順を用いている。この実施の形態においても、第１の実施の形態で用いた携帯端末装置２（図１、図２、図３、図４、図５、図６、図９）が用いられる。
【００６３】
この処理手順では、通話ボタン５６（図５）の押下により、電話アプリケーション８２（図６）が起動し（ステップＳ３１）、既述の自動切替設定があるか否かを確認する（ステップＳ３２）。この自動切替設定の確認は、カメラ１２の検出画像に基づく通話切替えの設定の確認である。この自動切替設定があれば（ステップＳ３２のＹＥＳ）、通話切替プログラムを起動する（ステップＳ３３）。この場合、電話アプリケーション８２のバックグラウンドでカメラ１２による検出画像の判定に基づく音声パスの切替プログラムとしての通話切替プログラムを起動する。
【００６４】
この通話切替プログラムが起動すると、カメラ１２の検出画像の判定時間が到来したか否かが判定される（ステップＳ３４）。この判定時間は、携帯端末装置２の待機画面からメニュー画面に移行させ、判定時間の設定モードによって設定される。
【００６５】
判定時間が到来すれば（ステップＳ３４のＹＥＳ）、待機していたカメラ１２の動作を再開させ、即ち、カメラ１２をサスペンド状態からレジューム状態に移行させ（ステップＳ３５）、カメラ１２から情報取得を行い、その情報取得が完了したらカメラ１２をサスペンド状態に移行させる（ステップＳ３６）。即ち、検出画像の取り込みである。
【００６６】
取得した情報の解析を行い（ステップＳ３７）、この解析では検出画像から黒の要素の抽出を行う。この解析の結果、画像中の黒の要素がしきい値以上か否かを判定し（ステップＳ３８）、黒の要素がしきい値以上であれば（ステップＳ３８のＹＥＳ）、レシーバ６から音声を出力させる（ステップＳ３９）。また、画像中に黒の要素がしきい値未満であれば（ステップＳ３８のＮＯ）、スピーカ８から音声を出力させる（ステップＳ４０）。
【００６７】
このような通話切替えの後、通話中か否かを確認し（ステップＳ４１）、通話中であれば（ステップＳ４１のＹＥＳ）、ステップＳ３４に戻り、既述の処理（ステップＳ３４ないしステップＳ４０）を継続的かつ自動的に実行し、通話が終了すれば（ステップＳ４１のＮＯ）、この処理を終了する。
【００６８】
また、ステップＳ３２において、自動切替設定がなければ（ステップＳ３２のＮＯ）、現状設定の音声パスから出力し、現状設定がレシーバ６又はスピーカ８であれば、それらから音声出力が発せられる（ステップＳ４２）。
【００６９】
以上の通り、所定の時間間隔でカメラ１２を動作させ、検出された画像の解析により、音声パスを自動的に切り替え、通常の通話ではレシーバ６、ハンズフリーの通話又はテレビ電話の通話ではスピーカ８から音声を出力させることができる。
【００７０】
第３の実施の形態
【００７１】
第３の実施の形態について、図１１、図１２、図１３、図１４、図１５、図１６、図１７、図１８を参照して説明する。図１１は、第３の実施の形態に係る携帯端末装置の自動通話切替機能を示す図、図１２は、携帯端末装置の通話切替方法の一例を示すフローチャート、図１３は、携帯端末装置のハードウェアの構成例を示す図、図１４は、携帯端末装置の構成例を示す図、図１５は、ヘッドセットのハードウェアの構成例を示す図、図１６は、ヘッドセットの構成例を示す図、図１７は、携帯端末装置のソフトウェア処理の階層構造を示す図、図１８は、携帯端末装置の通話切替プログラムの処理手順を示すフローチャートである。図１１、図１３、図１４、図１５、図１６、図１７において、図１、図２、図５、図６と同一部分には同一符号を付してある。
【００７２】
この第３の実施の形態では、ハンズフリーの通話を行うための外部機器を携帯端末装置２に無線により接続し、その外部機器を通じて通話を行うことに優先性を設定する場合を示している。この実施の形態では、図１１に示すように、ハンズフリーの通話を行うための送受器としてのヘッドセット９０が用いられ、ユーザの人体１４にヘッドセット９０をセットし、このヘッドセット９０が近距離無線としてBluetooth 無線信号により携帯端末装置２に無線接続され、このヘッドセット９０を通じて通話を優先的に行う。
【００７３】
このように外部機器であるヘッドセット９０を無線接続する携帯端末装置２では、図１２に示すように、通話ボタン５６の押下等の着信又は発信（ステップＳ５１）に基づき、通話切替えの自動切替設定の有無を確認し（ステップＳ５２）、ヘッドセット９０の接続があるか否かを確認し（ステップＳ５３）、ヘッドセット９０の接続があれば、ハンズフリーの通話としてヘッドセット９０を通じて音声の送受を行う（ステップＳ５４）。
【００７４】
その他のステップＳ５５（画像の検出）、ステップＳ５６（検出画像の判定）、ステップＳ５７（通常の通話：レシーバ６の出力）、ステップＳ５８（ハンズフリーの通話：スピーカ８の出力）、ステップＳ５９（通話中の判定）は、図３のフローチャートのステップＳ３ないしステップＳ７と同様である。
【００７５】
このようにヘッドセット９０が接続された場合、ヘッドセット９０による音声の送受を優先すれば、通話切替えの利便性が高められる。
【００７６】
また、ヘッドセット９０をBluetooth 無線信号で接続する携帯端末装置２では、図１３に示すように、Bluetooth 機能部９２が設置されているとともに、このBluetooth 機能部９２に対応し、オーディオコーデック２０には、Bluetooth 無線信号を用いた音声信号の送受を行うための外部出力部９４及び外部入力部９６が設置されている。
【００７７】
Bluetooth 機能部９２には、入力信号処理部９８、出力信号処理部１００、Bluetooth 信号処理部１０２及び無線通信部１０４が備えられている。入力信号処理部９８は、オーディオコーデック２０の外部出力部９４からの出力信号を取り込み、アナログ・ディジタル変換等の信号処理を行い、ＰＣＭ信号を出力する。出力信号処理部１００は、Bluetooth 信号処理部１０２からのＰＣＭ信号から音声信号を再生する等の信号処理を行い、オーディオコーデック２０の外部入力部９６に入力する。
【００７８】
Bluetooth 信号処理部１０２はBluetooth モジュールであって、ＰＣＭ信号を取り込む信号入力部１０６、ＰＣＭ信号を出力する信号出力部１０８を備える。また、無線通信部１０４はBluetooth 用のアンテナ１１０を備え、Bluetooth 機器であるヘッドセット９０とのBluetooth 無線信号の送受信を行う。
【００７９】
この携帯端末装置２では、図１４に示すように、装置本体４の筐体部５０には記憶部２４、プロセッサ３０、アンテナ４２、Bluetooth 用のアンテナ１１０、バッテリ１１２が内蔵されるとともに、外部撮影用のカメラ１１４が設置されている。また、筐体部５２にはサブ表示部１１６が設置されている。
【００８０】
また、この携帯端末装置２に対応するヘッドセット９０には、図１５に示すように、マイクロフォン１１８及びレシーバ１２０が備えられ、マイクロフォン１１８からの送話音声信号はマイクロフォン入力部１２２を通じて音声信号処理部１２６に取り込まれ、音声信号処理部１２６から出力される受話音声信号はレシーバ出力部１２４からレシーバ１２０に加えられ、音声として出力される。
【００８１】
音声信号処理部１２６はプロセッサ１２８によって制御されるとともに、Bluetooth 無線通信部１３０もプロセッサ１２８によって制御される。Bluetooth 無線通信部１３０はBluetooth 無線信号用のアンテナ１３２を備え、Bluetooth 無線信号の送受を行う。
【００８２】
このヘッドセット９０は、図１６に示すように、本体部１３４を備え、この本体部１３４にプロセッサ１２８、Bluetooth 無線通信部１３０、レシーバ１２０等の機能部が搭載されるとともに耳掛け部１３６を備え、可動アーム部１３８を介してマイクロフォン１１８が取り付けられている。
【００８３】
このようなヘッドセット９０と連携する携帯端末装置２の自動通話切替えのソフトウェア処理では、図１７に示すように、ハードウェアレイヤー５８にはBluetooth 機能部９２、ドライバレイヤー６０にはBluetooth ドライバ１４０、ＯＳレイヤー６２にはBluetooth プロトコルスタックアプリケーション１４２、アプリケーションレイヤー６４にはBluetooth アプリケーション１４４が設定されている。斯かる構成により、ヘッドセット９０が接続されている場合、その優先性が実現される。また、ヘッドセット９０が接続されていなければ、既述の通り、カメラ１２では人体１４に装置本体４が接触状態又は接近状態にあるか否かの画像が検出され、その検出画像の取得により、その検出画像はカメラドライバ７０を通してカメラアプリケーション７４に取り込まれる。音声パスは、ハードウェアミキサ６６及びソフトウェアミキサ８０によって制御される。この結果、通常の通話とハンズフリーの通話との自動切替え、又は通常の通話とテレビ電話の通話との自動切替えが実行されることに変わりはない。
【００８４】
この第３の実施の形態は、既述の処理手順（図１０）にBluetooth 機器の優先設定の処理を付加したものであって、ヘッドセット９０が接続されている場合、ハンズフリーの通話の一態様であるヘッドセット９０による送受が行われる。
【００８５】
この処理手順では、図１８に示すように、通話ボタン５６（図５）の押下により、電話アプリケーション８２（図６）が起動し（ステップＳ６１）、既述の自動切替設定があるか否かを確認する（ステップＳ６２）。この自動切替設定の確認は、カメラ１２の検出画像に基づく通話切替えの設定の確認である。この自動切替設定があれば（ステップＳ６２のＹＥＳ）、Bluetooth の優先設定があるか否かが確認され（ステップＳ６３）、Bluetooth の優先設定があれば（ステップＳ６３のＹＥＳ）、ヘッドセット９０から音声が出力される（ステップＳ６４）。Bluetooth の優先設定がなければ（ステップＳ６３のＮＯ）、通話切替プログラムを起動する（ステップＳ６５）。この場合、電話アプリケーション８２のバックグラウンドでカメラ１２による検出画像の判定に基づく音声パスの切替プログラムとしての通話切替プログラムを起動することは既述の通りである。
【００８６】
この場合、ヘッドセット９０に取り込まれた音声はBluetooth 無線信号に変換されてアンテナ１３２から携帯端末装置２に送信され、携帯端末装置２から送信されたBluetooth 無線信号はBluetooth 無線通信部１３０に受信され、音声信号に変換されてレシーバ１２０から出力される。
【００８７】
そして、この実施の形態においても、判定時間の到来確認（ステップＳ６６）、カメラ１２をサスペンド状態からレジューム状態に移行（ステップＳ６７）、情報取得の後、カメラ１２をサスペンド状態に移行（ステップＳ６８）、情報の解析（ステップＳ６９）、画像中の黒の要素がしきい値以上か否かの判定（ステップＳ７０）、通話切替え（ステップＳ７１、Ｓ７２）、通話中の処理（ステップＳ７３）、現状設定の音声パスからの出力（ステップＳ７４）は、図１０に示す処理手順と同様であるので、その説明を省略する。
【００８８】
第４の実施の形態
【００８９】
第４の実施の形態について、図１９及び図２０を参照して説明する。図１９は、第４の実施の形態に係る携帯端末装置の自動通話切替機能を示す図、図２０は、携帯端末装置のハードウェアの構成例を示す図である。図１９及び図２０において、図１１及び図１３と同一部分には同一符号を付してある。
【００９０】
第３の実施の形態では、Bluetooth 無線信号により無線接続するヘッドセット９０（図１１）を例示したが、図１９に示すように、携帯端末装置２に対し、外部機器であるヘッドセット１４６をケーブル１４８及びコネクタ１５０を以て接続させる構成であってもよい。このヘッドセット１４６が携帯端末装置２に接続された場合には、ヘッドセット１４６の接続を検知してレシーバ６、スピーカ８及びマイクロフォン１０にヘッドセット１４６を優先させ、ハンズフリーの通話としてヘッドセット１４６から送受を行う。
【００９１】
この場合、携帯端末装置２には、図２０に示すように、外部出力部１５２及び外部入力部１５４にコネクタ１５０を以てヘッドセット１４６を接続する構成とすればよい。
【００９２】
このような構成によっても、第３の実施の形態と同様に、ヘッドセット１４６に対して音声を出力させることができる。
【００９３】
他の実施の形態
【００９４】
(1) 上記実施の形態では、設定された時間間隔でカメラ１２を断続的に起動させているが、通話中、カメラ１２を連続的に駆動状態に維持し、設定された時間間隔で検出画像を取り込み、画像判定を断続的に行う構成としてもよい。
【００９５】
(2) 上記実施の形態では、検出画像Ｐに対して黒の要素のしきい値Ｂｔｈを設定したが、図２１に示すように、しきい値Ｂｔｈ１、Ｂｔｈ２を設定し（Ｂｔｈ１＞Ｂｔｈ２）、ハンズフリーの通話の状態から通常の通話に移行する場合にはしきい値Ｂｔｈ１、通常の通話からハンズフリーの通話の状態に移行する場合にはしきい値Ｂｔｈ２とすれば、通話切替えのチャタリングを防止し、スムーズな通話切替えができる。
【００９６】
(3) 上記実施の形態では、装置本体４が折畳み構造を持つ携帯端末装置２を例示したが、本発明は、筐体部５０、５２が互いにスライドして開閉可能な構成でもよく、回転して開閉する構成であってもよい。
【００９７】
(4) 上記実施の形態では、カメラ１２をテレビ電話用のインカメラで兼用したが、装置本体４の位置を検出するための専用のカメラを設置してもよい。
【００９８】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００９９】
（付記１）  通常の通話とハンズフリーの通話とが可能な携帯端末装置であって、
画像によって装置本体の位置を検出する検出部と、
前記検出部の検出画像に基づき、通常の通話とハンズフリーの通話とを切り替える通話切替部と、
を備え、通常の通話とハンズフリーの通話とを自動的に切り替えることが可能であることを特徴とする携帯端末装置。
【０１００】
（付記２）  付記１記載の携帯端末装置において、
前記ハンズフリーの通話がテレビ電話の通話であって、前記検出部の検出画像に基づき、通常の通話とテレビ電話の通話とを自動的に切り替えることが可能であることを特徴とする携帯端末装置。
【０１０１】
（付記３）  付記１記載の携帯端末装置において、
音声を出力するレシーバとスピーカとを備え、前記通常の通話では前記レシーバから音声を出力させ、前記ハンズフリーの通話では前記スピーカから音声を出力させることを特徴とする携帯端末装置。
【０１０２】
（付記４）  付記１記載の携帯端末装置において、
前記通話切替部は、前記検出画像により、前記装置本体が耳の位置にあれば通常の通話、前記装置本体が耳の位置から離れていればハンズフリーの通話に切り替えることを特徴とする携帯端末装置。
【０１０３】
（付記５）  付記１記載の携帯端末装置において、
前記通話切替部は、前記検出画像に対し、通常の通話とハンズフリーの通話とを切り替えるしきい値が設定され、該しきい値を変更可能にしたことを特徴とする携帯端末装置。
【０１０４】
（付記６）  付記１記載の携帯端末装置において、
前記検出部にテレビ電話用のカメラを用いたことを特徴とする携帯端末装置。
【０１０５】
（付記７）  付記１記載の携帯端末装置において、
前記検出部を構成するカメラを、通話中、所定の時間間隔で起動して画像を取り込み、該検出画像に基づいて通常の通話とハンズフリーの通話とを切り替えることを特徴とする携帯端末装置。
【０１０６】
（付記８）  付記１記載の携帯端末装置において、
前記検出部を構成するカメラの検出画像を、通話中、所定の時間間隔で取り込み、該検出画像に基づいて通常の通話とハンズフリーの通話とを切り替えることを特徴とする携帯端末装置。
【０１０７】
（付記９）  付記１記載の携帯端末装置において、
前記通話切替部は、前記検出画像中の色成分に応じて通常の通話とハンズフリーの通話とを切り替えることを特徴とする携帯端末装置。
【０１０８】
（付記１０）  付記１記載の携帯端末装置において、
前記通話切替部は、前記検出画像中の黒の要素の多少により通常の通話とハンズフリーの通話とを切り替えることを特徴とする携帯端末装置。
【０１０９】
（付記１１）  付記１記載の携帯端末装置において、
音声を入出力する外部機器が有線又は無線により接続され、前記通話切替部は、前記外部機器が接続された場合には、前記外部機器での通話を優先することを特徴とする携帯端末装置。
【０１１０】
（付記１２）  通常の通話とハンズフリーの通話とが可能な携帯端末装置の通話切替方法であって、
画像によって装置本体の位置を検出するステップと、
検出画像に基づいて通常の通話とハンズフリーの通話とを切り替えるステップと、
を含み、通常の通話とハンズフリーの通話とを自動的に切り替えることを可能にしたことを特徴とする携帯端末装置の通話切替方法。
【０１１１】
（付記１３）  付記１２記載の携帯端末装置の通話切替方法において、
前記検出画像により、前記装置本体が耳の位置にあれば通常の通話、前記装置本体が耳の位置から離れていればハンズフリーの通話に切り替えるステップを含むことを特徴とする携帯端末装置の通話切替方法。
【０１１２】
（付記１４）  付記１２記載の携帯端末装置の通話切替方法において、
前記検出画像を、通話中、所定の時間間隔で取り込み、該検出画像に基づいて通常の通話とハンズフリーの通話とを切り替えるステップを含むことを特徴とする携帯端末装置の通話切替方法。
【０１１３】
（付記１５）  付記１２記載の携帯端末装置の通話切替方法において、
前記検出画像中の色成分に応じて通常の通話とハンズフリーの通話とを切り替えるステップを含むことを特徴とする携帯端末装置の通話切替方法。
【０１１４】
（付記１６）  コンピュータによって実行され、通常の通話とハンズフリーの通話とが可能な携帯端末装置の通話切替プログラムであって、
装置本体の位置を表す画像を取り込み、該画像に基づいて通常の通話とハンズフリーの通話とを切り替えるステップを含み、通常の通話とハンズフリーの通話とを自動的に切り替えることを可能にしたことを特徴とする携帯端末装置の通話切替プログラム。
【０１１５】
（付記１７）  付記１６記載の携帯端末装置の通話切替プログラムにおいて、
前記画像により、前記装置本体が耳の位置にあれば通常の通話、前記装置本体が耳の位置から離れていればハンズフリーの通話に切り替えるステップを含むことを特徴とする携帯端末装置の通話切替プログラム。
【０１１６】
（付記１８）  付記１６記載の携帯端末装置の通話切替プログラムにおいて、
前記画像を、通話中、所定の時間間隔で取り込み、該画像に基づいて通常の通話とハンズフリーの通話とを切り替えるステップを含むことを特徴とする携帯端末装置の通話切替プログラム。
【０１１７】
（付記１９）  付記１６記載の携帯端末装置の通話切替プログラムにおいて、
前記画像中の色成分に応じて通常の通話とハンズフリーの通話とを切り替えるステップを含むことを特徴とする携帯端末装置の通話切替プログラム。
【０１１８】
（付記２０）  携帯端末装置に搭載されたコンピュータに実行可能に通話切替プログラムを格納した記録媒体であって、
装置本体の位置を表す画像を取り込み、該画像に基づいて通常の通話とハンズフリーの通話とを切り替えるステップを含み、通常の通話とハンズフリーの通話とを自動的に切り替えることを可能にする通話切替プログラムをコンピュータに読み取り可能に格納したことを特徴とする記録媒体。
【０１１９】
（付記２１）  付記２０記載の記録媒体において、
前記画像により、前記装置本体が耳の位置にあれば通常の通話、前記装置本体が耳の位置から離れていればハンズフリーの通話に切り替えるステップを含む通話切替プログラムをコンピュータに読み取り可能に格納したことを特徴とする記録媒体。
【０１２０】
（付記２２）  付記２０記載の記録媒体において、
前記画像を、通話中、所定の時間間隔で取り込み、該画像に基づいて通常の通話とハンズフリーの通話とを切り替えるステップを含む通話切替プログラムをコンピュータに読み取り可能に格納したことを特徴とする記録媒体。
【０１２１】
（付記２３）  付記２０記載の記録媒体において、
前記画像中の色成分に応じて通常の通話とハンズフリーの通話とを切り替えるステップを含む通話切替プログラムをコンピュータに読み取り可能に格納したことを特徴とする記録媒体。
【０１２２】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１２３】
本発明は、通常の通話とハンズフリーの通話とが可能な携帯端末装置に関し、画像に含まれる色成分である黒の要素にしきい値を設け、画像の黒の要素がしきい値以上であるか否かにより、装置本体が人体に接触又は近傍にあるか否かを判定するので、通常の通話とハンズフリーの通話との切替えを容易化及び自動化することができ、有用である。また、通常の通話とテレビ電話の通話とが可能な携帯端末装置に関し、同様に通常の通話とテレビ電話の通話との切替えを容易化及び自動化することができ、有用である。
【図面の簡単な説明】
【０１２４】
【図１】第１の実施の形態に係る携帯端末装置の自動通話切替機能を示す図である。
【図２】携帯端末装置を把持した場合の通話を示す図である。
【図３】携帯端末装置の通話切替方法の一例を示すフローチャートである。
【図４】携帯端末装置のハードウェアの構成例を示す図である。
【図５】携帯端末装置の構成例を示す図である。
【図６】携帯端末装置のソフトウェア処理の階層構造を示す図である。
【図７】通話切替プログラムの通話開始時の処理手順を示すフローチャートである。
【図８】通話切替プログラムの通話中の処理手順を示すフローチャートである。
【図９】検出画像に基づく通話切替えを示す図である。
【図１０】第２の実施の形態に係る携帯端末装置の通話切替プログラムの処理手順を示すフローチャートである。
【図１１】第３の実施の形態に係る携帯端末装置の自動通話切替機能を示す図である。
【図１２】携帯端末装置の通話切替方法の一例を示すフローチャートである。
【図１３】携帯端末装置のハードウェアの構成例を示す図である。
【図１４】携帯端末装置の構成例を示す図である。
【図１５】ヘッドセットのハードウェアの構成例を示す図である。
【図１６】ヘッドセットの構成例を示す図である。
【図１７】携帯端末装置のソフトウェア処理の階層構造を示す図である。
【図１８】携帯端末装置の通話切替プログラムの処理手順を示すフローチャートである。
【図１９】第４の実施の形態に係る携帯端末装置の自動通話切替機能を示す図である。
【図２０】携帯端末装置のハードウェアの構成例を示す図である。
【図２１】他の実施の形態に係る検出画像に基づく通話切替えを示す図である。
【符号の説明】
【０１２５】
２  携帯端末装置
４  装置本体
６  レシーバ
８  スピーカ
１２  カメラ
２０  オーディオコーデック
３０  プロセッサ
５６  通話ボタン
９０  ヘッドセット
【図１】
2008187221.tif 000003
【図２】
2008187221.tif 000004
【図３】
2008187221.tif 000005
【図４】
2008187221.tif 000006
【図５】
2008187221.tif 000007
【図６】
2008187221.tif 000008
【図７】
2008187221.tif 000009
【図８】
2008187221.tif 000010
【図９】
2008187221.tif 000011
【図１０】
2008187221.tif 000012
【図１１】
2008187221.tif 000013
【図１２】
2008187221.tif 000014
【図１３】
2008187221.tif 000015
【図１４】
2008187221.tif 000016
【図１５】
2008187221.tif 000017
【図１６】
2008187221.tif 000018
【図１７】
2008187221.tif 000019
【図１８】
2008187221.tif 000020
【図１９】
2008187221.tif 000021
【図２０】
2008187221.tif 000022
【図２１】
2008187221.tif 000023